(57)【要約】【課題】販売店の意向によって様々な種類の商品をストリップパックのような商品展示体にすることができ、しかも、ストリップパックにされる商品だけでなく、その商品に関連する様々な広告や販売店に関する広告も併せて表示することのできる新たな商品展示体及びその製造方法を提供する。【解決手段】各袋詰商品Ｘは、中身が見えるように成形された袋Ｂに商品Ｍが収納された形態のものであり、前記袋Ｂの下端部ｂ２に、そこに収納される商品Ｍに関する広告、つまり、当該商品Ｍがお買い得商品であることの宣伝文を表示する。【選択図】図３
2008179403.tif 000002
【特許請求の範囲】
【請求項１】
複数の袋詰商品が展示用の帯体に貼付されてなる商品展示体であって、
各袋詰商品は、中身が見えるように成形された袋に商品が収納された形態のものであり、かつ、
前記袋には、そこに収納される商品に関する広告、又は当該商品とは異なる他の商品に関する広告、又は当該商品の販売店に関する広告のいずれか、又はそれらを組合せた広告が表示されることを特徴とする商品展示体。
【請求項２】
前記請求項１に記載の商品展示体において、
そこに収納される商品に関する広告とは、当該商品がお買い得商品であることの宣伝文であることを特徴とする商品展示体。
【請求項３】
前記請求項１に記載の商品展示体において、
当該商品とは異なる他の商品に関する広告とは、当該商品とともに使用又は消費される種類の異なる商品の広告であることを特徴とする商品展示体。
【請求項４】
前記請求項１に記載の商品展示体において、
当該商品の販売店に関する広告とは、当該販売店が提供する各種のサービスに関する情報であることを特徴とする商品展示体。
【請求項５】
前記請求項２に記載の商品展示体において、
各袋詰商品には、複数の商品が収納されていることを特徴とする商品展示体。
【請求項６】
複数の袋詰商品が展示用の帯体に貼付されてなる商品展示体の製造方法であって、
中身が見えるように成形された袋に商品を収納して展示用の袋詰商品を製造し、
続いてこの袋詰商品を展示用の帯体に順次貼付して商品展示体となすことを特徴とする商品展示体の製造方法。
【発明の詳細な説明】
【技術分野】
【０００１】
本発明は、複数の袋詰商品が展示用の帯体に貼付されて吊下げ状態で展示されるストリップパックと称される商品展示体及びその製造方法に関する。
【背景技術】
【０００２】
スナック菓子等の包装商品を帯体に複数個並べて貼付し、これを吊下げて展示するストリップパックと称される商品展示体が知られている。このストリップパックは、展示の省スペース化を図ることができるので、通路等に吊下げて展示すれば、消費者の目に付きやすく、販売促進に繋がる利点がある。そして、このようなストリップパックを製造するストリップパック装置としては、例えば特許文献１に開示のものがある。
【０００３】
【特許文献１】特開２００４−１５５５００号公報
【発明の開示】
【発明が解決しようとする課題】
【０００４】
ところで、前述した従来のストリップパックは、工場プラントで機械的に量産されるため、販売店がオリジナルなストリップパックを少量生産したいと願っても、それができないという問題があった。また、その展示効果は、吊下げられた商品しかアッピールしないため、当該商品をお買い得商品として、或いは、他の商品とセットで購入すれば、割引があることを宣伝したくてもそれができないという問題があった。
【０００５】
さらには、ストリップパックは、通路等の人目に付き易い箇所に吊下げられるので、そこに販売店の様々な特典をアッピールした広告を併せて表示することが可能であれば、さらなる販売促進を図ることができるが、従来のストリップパックでは、それもできないという問題があった。
【０００６】
そこで、本発明は、販売店の意向によって様々な種類の商品をストリップパックのような商品展示体にすることができ、しかも、ストリップパックにされる商品だけでなく、その商品に関連する様々な広告や販売店に関する広告も併せて表示することのできる新たな商品展示体及びその製造方法の提供を課題とする。
【課題を解決するための手段】
【０００７】
前記課題を解決するため、本発明は次のように構成したことを特徴とする。
【０００８】
まず、請求項１に記載の発明は、複数の袋詰商品が展示用の帯体に貼付されてなる商品展示体であって、各袋詰商品は、中身が見えるように成形された袋に商品が収納された形態のものであり、かつ、前記袋には、そこに収納される商品に関する広告、又は当該商品とは異なる他の商品に関する広告、又は当該商品の販売店に関する広告のいずれか、又はそれらを組合せた広告が表示されることを特徴とする。
【０００９】
次に、請求項２に記載の発明は、前記請求項１に記載の商品展示体において、そこに収納される商品に関する広告とは、当該商品がお買い得商品であることの宣伝文であることを特徴とする。その宣伝文とは、例えば、「４個で３個分のお値段」や「売り出し期間中に限り、１０％引き」等の宣伝文を言う。
【００１０】
また、請求項３に記載の発明は、前記請求項１に記載の商品展示体において、当該商品とは異なる他の商品に関する広告とは、当該商品とともに使用又は消費される種類の異なる商品の広告であることを特徴とする。その広告とは、例えば、収納商品がスナック菓子やクッキー等である場合は、それとともに消費される清涼飲料水や紅茶パック等の広告を言い、収納商品がアーモンドやピーナッツ等である場合は、アルコール飲料等の広告を言う。
【００１１】
また、請求項４に記載の発明は、前記請求項１に記載の商品展示体において、当該商品の販売店に関する広告とは、当該販売店が提供する各種のサービスに関する情報であることを特徴とする。その情報とは、例えば、「毎週水曜日は、サービスポイントが２倍になるサービスデー」等の情報を言う。
【００１２】
また、請求項５に記載の発明は、前記請求項２に記載の商品展示体において、各袋詰商品には、複数の商品が収納されていることを特徴とする。この場合、例えば、各袋詰商品が４個の商品を収納し、宣伝文として、「４個で３個分のお値段」が表示された商品展示体が該当する。
【００１３】
そして、請求項６に記載の発明は、複数の袋詰商品が展示用の帯体に貼付されてなる商品展示体の製造方法であって、中身が見えるように成形された袋に商品を収納して展示用の袋詰商品を製造し、続いてこの袋詰商品を展示用の帯体に順次貼付して商品展示体となすことを特徴とする。
【発明の効果】
【００１４】
まず、請求項１及び請求項２に記載の発明によれば、販売店は、自身が選んだ種々の商品で袋詰商品を成形することができる。しかも、その袋は、袋の中身が見えるように成形されているので、そこに収納される商品をアッピールすることができる。さらに、その袋には、そこに収納される商品に関する広告、例えば、当該商品がお買い得商品であれば、その宣伝文をその袋に印刷して販売促進を図ることができる。これにより、販売店の特色を出しながら、販売店が選んだ各種の商品を効率良く宣伝することができる。
【００１５】
また、請求項１及び請求項３に記載の発明によれば、前述したように、袋に収納された商品を目立たせながら、当該収納商品とは異なる他の商品に関する広告、一例として、そこに収納される商品がスナック菓子やクッキー等である場合は、それと併せて飲食される清涼飲料水や紅茶パック等の広告をその袋に印刷しておけば、スナック菓子等を購入する客に清涼飲料水等の購入を動機付けることになる。さらには、それらをセットで購入すれば割引かれることを宣伝することにより、一層の売上増を図ることができる。
【００１６】
また、請求項１及び請求項４に記載の発明によれば、前述したように、袋に収納された商品を目立たせながら、当該商品の販売店に関する広告として、当該販売店が提供する各種の特典やサービス等を袋に印刷しておけば、その販売店の特色を出しながら、袋に収納された商品の販売促進を図ることができる。
【００１７】
また、請求項２及び請求項５に記載の発明によれば、各袋詰商品には、複数の商品が収納されるので、例えば、袋に「４個で３個分のお値段」という宣伝文を印刷しておけば、それによってお買い得品であることをアッピールすることができる。これにより、販売店の特色を出した商品展示体を形成することができる。なお、複数の商品は、全て同一種類の商品であってもよいし、種類の異なる商品を詰め合わせたものであってもよい。
【００１８】
そして、請求項６に記載の発明によれば、中身が見えるように成形された袋に商品を収納して展示用の袋詰商品をまず製造するので、そこに収納される商品をアッピールしながら、各種の宣伝文を袋に表示することができる。続いて、この袋詰商品を、展示用の帯体に順次貼付して商品展示体とするので、何れの販売店であっても、オリジナルな商品展示体を簡単に製造することができる。
【発明を実施するための最良の形態】
【００１９】
以下、本発明の実施の形態について説明する。
【００２０】
図１は、本発明に係る商品展示体としてのストリップパックの製造方法を示したものであり、まず商品Ｍを収納する専用の透明袋Ｂを用意する。この袋Ｂは、後述するテープ（帯体）Ｔに熱溶着することのできる材質で形成されていれば、専用の袋製造機で事前に製造したものでもよいし、或いは、フィルムを製袋包装機のフォーマに通し、このフォーマでフィルムをチューブ状に成形しながら、商品Ｍをチューブの中に供給することによって製造するようなものであってもよい。
【００２１】
また、事前に製造された袋Ｂを用いる場合は、作業者が手でその袋Ｂに商品Ｍを収納した後、この袋Ｂの開口部ｂ１をヒートシーラー等で密封して展示用の袋詰商品Ｘを製造する。或いは、給袋包装機に商品Ｍを供給して、袋詰と密封とを自動的に行わせてもよいし、製袋包装機に商品Ｍを供給し、そこで、袋Ｂの成形と商品Ｍの袋詰、密封とを自動的に行わせてもよい。なお、機械による商品Ｍの供給と袋詰とが難しい場合は、ジッパー付きの袋を使用し、それに商品Ｍを詰めてジッパーで封止したものでもよい。
【００２２】
また、前記透明袋Ｂの適宜な場所であって、特に、収納される商品Ｍの意匠的特徴を損なわない領域ｂ２には、当該収納商品Ｍに関する広告、又は当該収納商品Ｍとは異なる他の商品に関する広告、又は当該収納商品Ｍを取り扱う販売店に関する広告のいずれか、又はそれらを組合せた広告文が印刷される。こうした袋Ｂへの印刷に代えて、広告文をラベルやシール等に印字し、それを前記領域ｂ２に貼着しても良い。
【００２３】
こうして複数の袋詰商品Ｘ…Ｘが得られると、それらをストリップパック装置に順次供給してテープＴに貼付し、展示用のストリップパックＳＰを製造する。このストリップパック装置への袋詰商品Ｘの供給は、作業者が手で行ってもよいし、或いは、給袋包装機や製袋包装機と連動させるときは、それらとストリップパック装置とを電気的に接続して、前記包装機から排出された袋詰商品Ｘを、このストリップパック装置へ直接供給するようにしてもよい。
【００２４】
図２に示すストリップパック装置１は、テープＴに複数の袋詰商品Ｘ…Ｘを貼付してストリップパックＳＰを自動的に製造する装置で、本体ユニット２には、上流側装置から袋詰商品Ｘが供給される供給コンベア３と、この供給コンベア３で供給された袋詰商品Ｘを本装置１の内部に導入する導入コンベア４と、この導入コンベア４の終端部を構成するドロップコンベア５と、本装置１で製造されたストリップパックＳＰを下流側装置へ排出する排出コンベア６とが備えられると共に、本装置１の内部に導入された袋詰商品Ｘの端部の皺を伸ばすためのブラシユニット７、袋詰商品Ｘの端部を把持するための把持ユニット８、袋詰商品Ｘを前記端部でテープＴに貼付するための貼付ユニット９、及び、前記テープＴをストリップパックＳＰの製造に同期して送るためのテープ送りユニット１０を有している。ここで、前記テープＴのロール１１は、本体ユニット２の上部に配設されている。なお、本装置１は、上流側装置及び下流側装置から独立した構成で汎用性の高いものである。
【００２５】
ここで、このストリップパック装置１によるストリップパックＳＰの製造動作について説明すると、本装置１に供給された袋詰商品Ｘは、供給コンベア３で矢印ａ方向に搬送された後、導入コンベア４で反対方向の矢印ｂ方向に略水平方向に搬送される。導入コンベア４の始端部には、供給コンベア３から落下してくる袋詰商品Ｘが本装置１外へ脱落するのを防止するための脱落防止部材１２が備えられている。
【００２６】
次いで、ドロップコンベア５で搬送された袋詰商品Ｘは、ブラシユニット７で袋Ｂの端部、つまりシール部の皺伸ばしが行われ、把持ユニット８で前記端部が把持された状態で搬送方向ｂ前方側の斜め下方へ移送される。その場合、ドロップコンベア５は、その搬送方向ｂの前方側が低くなるように傾斜する。
【００２７】
そして、貼付ユニット９で複数の袋詰商品Ｘ…Ｘが、テープ送りユニット１０で送られるテープＴに貼付されることにより、ストリップパックＳＰが製造され、製造されたストリップパックＳＰは、傾斜した受け台１３で受けられながら、排出コンベア６に受け渡され、このコンベア６で矢印ｃ方向に搬送されることになる。
【００２８】
図１と図３乃至図６とに示すものは、このストリップパック装置１で製造したストリップパックＳＰの一例であって、テープＴの上端には、吊下げ用のパンチ孔ｔ１が形成され、それに続く胴体部分は、表面層が熱溶着によって袋詰商品Ｘの一方のシール部Ｚと密着するようになっている。その場合、袋詰商品ＸをテープＴから剥ぎ取ると、シール部Ｚと溶着していたテープＴの表面層が部分的に剥離して、下層の粘着層が現れるようになっている。この粘着層は、袋詰商品ＸがテープＴから剥ぎ取られた後に、客の心変わりで元に戻されたときに、それが再びテープＴに貼付することができるようにしたものである。
【００２９】
こうして製造されたストリップパックＳＰは、複数の袋詰商品Ｘ…Ｘが、それぞれ一方のシール部Ｚ…Ｚで細長いテープＴに整列状態に貼付されている。また、各袋詰商品Ｘにおいて、袋Ｂに収納される商品Ｍの意匠的特徴を損なわない領域ｂ２である下端部ｂ２には、そこに収納される商品Ｍに関する広告、又は当該商品Ｍとは異なる他の商品に関する広告、又は当該商品Ｍの販売店に関する広告のいずれかが表示されている。なお、図示しないが、前述した広告を組合せた広告が表示されてもよい。そして、この広告は、袋Ｂに事前印刷してもよいし、或いは、広告を載せたシールやラベルを袋Ｂに貼付したものでもよい。
【００３０】
特に図６に示すストリップパックＳＰでは、各袋詰商品Ｘには、商品Ｍとして４個の小袋パックが詰められており、宣伝文として、「４個で３個分のお値段」が表示されている。なお、詰められる複数の商品Ｍ…Ｍは、全て同一種類の商品であってもよいし、種類の異なる商品を詰め合わせたものであってもよい。
【００３１】
そして、図７に示すものは図５に示したものの変形例で、ストリップパック装置１に供給する袋詰商品Ｘ１，Ｘ２，Ｘ３の種類を順次換えて、テープＴに種類の異なる３個の袋詰商品Ｘ１，Ｘ２，Ｘ３を貼付してストリップパックＳＰを形成した一例を示す。その場合にも、透明袋Ｂの下端部ｂ２には、中身の商品Ｍ１，Ｍ２，Ｍ３とは異なる他の商品に関する広告が表示されている。
【００３２】
以上のように構成すれば、販売店で自由な特色のあるストリップパックＳＰを製造することができるだけでなく、各販売店の実情に応じた独自の販売形態で各商品Ｍ，Ｍ１〜Ｍ３や販売店を自由に広告することができる。
【００３３】
特に、図３に示したようなストリップパックＳＰによれば、販売店は、自身が選んだ種々の商品Ｍで袋詰商品Ｘを成形することができる。しかも、その袋Ｂは、袋Ｂの中身が見えるように成形されているので、そこに収納される商品Ｍをアッピールすることができる。さらに、その袋Ｂには、そこに収納される商品Ｍに関する広告、例えば、当該商品Ｍがお買い得商品であれば、その宣伝文をその袋Ｂに印刷して販売促進を図ることができる。これにより、販売店の特色を出しながら、販売店が選んだ各種の商品Ｍを効率良く宣伝することができる。
【００３４】
また、図４に示したようなストリップパックＳＰによれば、前述したように、袋Ｂに収納された商品Ｍを目立たせながら、当該商品Ｍとは異なる他の商品に関する広告、つまり、そこに収納される商品Ｍがポテトチップであり、それと併せて飲食されるコーラの広告をその袋Ｂに印刷しているので、ポテトチップを購入する客にコーラの購入を動機付けることになる。さらには、それらをセットで購入すれば割引かれることを宣伝することにより、一層の売上増を図ることができる。
【００３５】
また、図５及び図７に示したようなストリップパックＳＰによれば、前述したように、袋Ｂに収納された商品Ｍ，Ｍ１〜Ｍ３を目立たせながら、当該商品Ｍ，Ｍ１〜Ｍ３の販売店に関する広告として、当該販売店が提供する各種の特典やサービス等を袋に印刷しておくことにより、その販売店の特色を出しながら、袋Ｂに収納された商品Ｍ，Ｍ１〜Ｍ３の販売促進を図ることができる。
【００３６】
そして、図６に示したようなストリップパックＳＰによれば、各袋詰商品Ｘには、複数の商品Ｍ…Ｍが収納されるので、例えば、袋Ｂに「４個で３個分のお値段」という宣伝文を印刷しておくことにより、それによってお買い得品であることをアッピールすることができる。これにより、販売店の特色を出したストリップパックＳＰを形成することができる。
【産業上の利用可能性】
【００３７】
以上説明したように、本発明によれば、販売店の意向によって様々な種類の商品をストリップパックのような商品展示体にすることができ、しかも、ストリップパックにされる商品だけでなく、その商品に関連する様々な広告や販売店に関する広告も併せて表示することのできる新たな商品展示体及びその製造方法が提供される。本発明は、ストリップパックを製造する技術分野に広く好適である。
【図面の簡単な説明】
【００３８】
【図１】本発明の実施の形態に係る製造方法を説明するための図である。
【図２】ストリップパック装置の側面図である。
【図３】（ａ）はストリップパックの平面図であり、（ｂ）は同じく側面図である。
【図４】別なるストリップパックの平面図である。
【図５】同じく別なるストリップパックの平面図である。
【図６】同じく別なるストリップパックの平面図である。
【図７】同じく別なるストリップパックの平面図である。
【符号の説明】
【００３９】
Ｂ      袋
Ｍ，Ｍ１〜Ｍ３    商品
ＳＰ    ストリップパック（商品展示体）
Ｔ      テープ（帯体）
Ｘ，Ｘ１〜Ｘ３    袋詰商品
【図１】
2008179403.tif 000003
【図２】
2008179403.tif 000004
【図３】
2008179403.tif 000005
【図４】
2008179403.tif 000006
【図５】
2008179403.tif 000007
【図６】
2008179403.tif 000008
【図７】
2008179403.tif 000009